(57)【要約】【課題】プラスチック袋などの収容袋に取っ手を形成し、重量によって取っ手がはがれず、分離しないようにする。【解決手段】帯状シート６の両端部分７が複数層をなすよう構成され、複数層の両端部分７が二股状に分岐し、開かれ、その開き面が袋本体の表面に貼り付けられる。これによって帯状シート６の両端部分７が固定され、帯状シート６によって取っ手が形成される。【選択図】図１
2009113839.tif 000002
【特許請求の範囲】
【請求項１】
帯状シートの両端部分を複数層をなすよう構成し、複数層の両端部分を二股状に分岐させ、開き、その開き面を袋本体の表面に貼り付け、これによって前記帯状シートの両端部分を固定し、前記帯状シートによって取っ手を形成したことを特徴とする収容袋。
【請求項２】
軟包材製であることを特徴とする請求項１に記載の収容袋。
【請求項３】
プラスチック袋であって、前記帯状シートはプラスチックフィルムからなり、前記開き面が袋本体の表面にヒートシールまたは超音波シールされ、貼り付けられていることを特徴とする請求項２に記載の収容袋。
【請求項４】
サイドガセット部分を有するプラスチック袋であって、前記開き面が前記サイドガセット部分の表面に貼り付けられていることを特徴とする請求項２または３に記載の収容袋。
【請求項５】
接着剤によって前記開き面が貼り付けられていることを特徴とする請求項２に記載の収容袋。
【請求項６】
両端部分が複数層をなすよう構成され、複数層の両端部分が二股状に分岐し、開かれており、その開き面は貼り付け可能である帯状シートからなる取っ手。
【請求項７】
さらに、前記開き面に施された接着剤と、
前記接着剤に貼り付けられ、前記接着剤を被覆する離型紙とを備え、
前記離型紙を前記接着剤から剥がし、前記接着剤によって前記開き面を貼り付けるようにしたことを特徴とする請求項６に記載の取っ手。
【請求項８】
さらに、前記開き面に貼り付けられた両面テープと、
前記両面テープに貼り付けられ、前記両面テープを被覆する離型紙とを備え、
前記離型紙を前記両面テープから剥がし、前記両面テープによって前記開き面を貼り付けるようにしたことを特徴とする請求項６に記載の取っ手。
【発明の詳細な説明】
【技術分野】
【０００１】
この発明は、収容袋および取っ手に関するものである。
【背景技術】
【０００２】
たとえば、特開２００４−１００５５号公報（特許文献１）に記載されているように、プラスチック袋にサイドガセット部分を形成することは一般的である。そのプラスチック袋はサイドガセット袋と呼ばれ、サイドガセット部分は胴部分の両側縁に沿ってのび、胴部分の両層間に折り込まれ、２つ折りされる。したがって、サイドガセット部分によってプラスチック袋を拡げ、その容量を増大させることができる。
【０００３】
ところで、サイドガセット袋には大型のものが多く、内容物を充填し、収容したとき、その重量は相当大きい。このため、それを持ち運ぶことは容易ではなく、サイドガセット袋に取っ手を形成し、取っ手によってサイドガセット袋をぶら下げ、持ち運ぶようにすることが要望されている。取り扱い上、サイドガセット部分に取っ手を形成することが好ましい。
【０００４】
一方、特開平２−１０９８６８号公報（特許文献２）に記載されているように、プラスチックフィルムによって物品を包装し、それに取っ手を形成することは一般的である。同公報のものでは、帯状シートの両端部分がプラスチックフィルムの表面に貼り付けられ、帯状シートによって取っ手が形成される。
【０００５】
したがって、同公報のものと同様、サイドガセット袋において、帯状シートの両端部分をサイドガセット部分の表面に貼り付け、帯状シートによって取っ手を形成することも考えられるが、問題はその強度である。サイドガセット袋の場合、その重量が相当大きいことは前述したとおりであり、帯状シートの両端部分をサイドガセット部分の表面に貼り付けただけでは、ぶら下げたとき、重量によって取っ手が剥がれ、分離するおそれがある。
【０００６】
したがって、この発明の目的は、プラスチック袋などの収容袋に取っ手を形成し、重量によって取っ手が剥がれず、分離しないようにすることにある。
【０００７】
他の目的は、容易に取っ手が形成されるようにすることにある。
【特許文献１】特開２００４−１００５５号公報
【特許文献２】特開平２−１０９８６８号公報
【発明の開示】
【０００８】
この出願にかかる発明は２つの発明である。その第１発明によれば、特別の構成の収容袋が新たに提供され、その収容袋では、帯状シートの両端部分が複数層をなすよう構成され、複数層の両端部分が二股状に分岐し、開かれ、その開き面が袋本体の表面に貼り付けられる。これによって帯状シートの両端部分が固定され、帯状シートによって取っ手が形成される。
【０００９】
好ましい実施例では、収容袋は軟包材製である。
【００１０】
さらに、軟包材製の袋はプラスチック袋であり、帯状シートはプラスチックフィルムからなる。そして、開き面が袋本体の表面にヒートシールまたは超音波シールされ、貼り付けられる。
【００１１】
さらに、プラスチック袋はサイドガセット部分を有する。そして、開き面がサイドガセット部分の表面に貼り付けられる。
【００１２】
接着剤によって開き面を貼り付けてもよい。
【００１３】
第２発明によれば、特別の構成の取っ手が新たに提供され、その取っ手は帯状シートからなる。さらに、帯状シートの両端部分が複数層をなすよう構成され、複数層の両端部分が二股状に分岐し、開かれる。その開き面は貼り付け可能である。
【００１４】
好ましい実施例では、接着剤が開き面に施され、離型紙が接着剤に貼り付けられ、離型紙によって接着剤が被覆される。したがって、離型紙を接着剤から剥がし、接着剤によって開き面を貼り付けることができる。
【００１５】
他の実施例では、両面テープが開き面に貼り付けられ、離型紙が両面テープに貼り付けられ、離型紙によって両面テープが被覆される。したがって、離型紙を両面テープから剥がし、両面テープによって開き面を貼り付けることができる。
【発明を実施するための最良の形態】
【００１６】
以下、この発明の実施例を説明する。
【００１７】
図１はこの発明にかかるプラスチック袋を示す。特開２００４−１００５５号公報のものと同様、このプラスチック袋はサイドガセット袋であり、サイドガセット部分１を有する。サイドガセット部分１は胴部分２の両側縁３に沿ってのび、胴部分２の両層間に折り込まれ、２つ折りされる。したがって、サイドガセット部分１によってプラスチック袋を拡げ、その容量を増大させることができる。さらに、同公報のものと同様、このプラスチック袋は底部分４を有し、底部分４は胴部分２の底縁５に沿ってのび、胴部分２の両層間に折り込まれ、２つ折りされる。したがって、プラスチック袋を拡げたとき、底部分４によってプラスチック袋の底面が形成され、サイドガセット部分１は平面状をなし、底部分４も平面状をなす。サイドガセット部分１、胴部分２および底部分４はプラスチックフィルムからなる。そのプラスチックフィルムは軟包材である。
【００１８】
さらに、このプラスチック袋では、図２に示すように、帯状シート６の両端部分７が複数層をなすよう構成され、複数層の両端部分７が二股状に分岐し、開かれ、その開き面８が袋本体の表面に貼り付けられる。これによって帯状シート６の両端部分７が固定され、帯状シート６によって取っ手が形成される。
【００１９】
この実施例では、２枚の帯状シート６が互いに重ね合わされている。帯状シート６は同一長さのもので、全長にわたって重ね合わされている。したがって、帯状シート６の両端部分７が２層をなすよう構成されているものであり、これが二股状に分岐し、開かれ、その開き面８が袋本体の表面に貼り付けられる。これによって帯状シート６の両端部分７が固定され、帯状シート６によって取っ手が形成されている。さらに、帯状シート６はプラスチックフィルムからなる。そして、その開き面８が袋本体の表面にヒートシールまたは超音波シールされ、貼り付けられている。
【００２０】
さらに、この実施例では、帯状シート６はサイドガセット部分１の長さ方向にのびる。そして、その開き面８がサイドガセット部分１の表面にヒートシールまたは超音波シールされ、貼り付けられ、これによって帯状シート６の両端部分７が固定されている。両端部分７は間隔Ｓを置いて固定されており、間隔Ｓは帯状シート６の長さよりも小さい。したがって、両端部分７間で帯状シート６がたるみ、取っ手に持ち代が形成される。
【００２１】
したがって、このプラスチック袋の場合、帯状シート６によって取っ手が形成され、取っ手によってプラスチック袋をぶら下げ、持ち運ぶことができる。
【００２２】
さらに、帯状シート６の両端部分７が二股状に分岐し、開かれ、その開き面８がサイドガセット部分１の表面に貼り付けられていることは前述したとおりである。サイドガセット部分１はプラスチックフィルムからなり、そのプラスチックフィルムは軟包材であることも前述したとおりである。したがって、取っ手によってプラスチック袋をぶら下げたとき、図３に示すように、各層の帯状シート６間において、開き面８によってサイドガセット部分１の表面が引き上げられる。さらに、重量Ｗがサイドガセット部分１および帯状シート６に作用し、張力によって帯状シート６の両端部分７が引っ張られ、サイドガセット部分１の表面が変形し、折り曲げられる。したがって、その後、重量Ｗがサイドガセット部分１および帯状シート６に作用するが、その方向は開き面８に垂直ではなく、斜めの方向である。
【００２３】
この結果、サイドガセット部分１の表面に貼り付けられている開き面８において、その抗力が大幅に増大し、重量Ｗが相当大きくても、それによって取っ手は剥がれず、分離しない。重量Ｗの方向が開き面８に垂直であるとき、開き面８がサイドガセット部分１の表面から剥がれやすいが、斜めの方向であるとき、開き面８はサイドガセット部分１の表面から剥がれにくいことは力学上当然である。
【００２４】
さらに、重量Ｗがきわめて大きいとき、それがサイドガセット部分１および帯状シート６に作用し、図４に示すように、張力によって帯状シート６の両端部分７が閉じられ、その両端部分７にサイドガセット部分１の表面が挿入される。したがって、その後、重量Ｗがサイドガセット部分１および帯状シート６に作用するが、その方向は開き面８に平行に近い。
【００２５】
したがって、重量Ｗがきわめて大きくても、それによって取っ手は剥がれず、分離しない。重量Ｗの方向が開き面８に平行に近いとき、開き面８はきわめて剥がれにくいことも力学上当然である。
【００２６】
図１のプラスチック袋を製造するには、図５に示すように、２枚の帯状シート６を上下に配置し、２層に重ね合わせ、その両端部分７で下層の帯状シート６を折り曲げ、これによって両端部分７を開き、開き面８を形成すればよい。その後、開き面８をサイドガセット部分１の表面に対向させ、ヒートシール装置または超音波シール装置９を帯状シート６およびサイドガセット部分１に押し付ければよい。帯状シート６はプラスチックフィルムからなることは前述したとおりである。さらに、たとえば、基材にシーラントをラミネートしたラミネートフィルムが帯状シート６として使用されており、重ね合わされた２枚の帯状シート６において、シーラントによってその内面が形成され、基材によって帯状シート６の外面が形成される。したがって、ヒートシール装置または超音波シール装置９を帯状シート６およびサイドガセット部分１に押し付けると、開き面８をサイドガセット部分１の表面にヒートシールまたは超音波シールし、貼り付けることができる。開き面８に隣接する部分において、その内面と内面を互いにヒートシールまたは超音波シールし、貼り付けることもできる。
【００２７】
開き面８に隣接する部分において、その内面と内面をあらかじめヒートシールまたは超音波シールし、貼り付け、その後、開き面８をサイドガセット部分１の表面にヒートシールまたは超音波シールし、貼り付けてもよい。中央部分において、その内面と内面をあらかじめヒートシールまたは超音波シールし、貼り付けてもよい。開き面８以外の部分において、その内面と内面をあらかじめヒートシールまたは超音波シールし、貼り付けてもよい。
【００２８】
図６に示すように、サイドガセット部分１の折り目の両側において、それぞれ帯状シート６を配置し、取っ手を形成してもよい。図７に示すように、帯状シート６をサイドガセット部分１の幅方向に配置し、帯状シート６によって取っ手を形成してもよい。
【００２９】
図８に示すように、帯状シート６の両端部分７間において、その中央部分を適宜折り曲げ、折り返し、中央部分に襞１０を形成し、襞１０によって持ち代を吸収するようにしてもよい。帯状シート６の長さ方向にずれた位置において、各層の帯状シート６に襞１０を形成し、その襞１０が互いに重ならず、その位置で帯状シート１０の厚さが増大しないようにしてもよい。
【００３０】
さらに、上記実施例では、２枚の帯状シートを全長にわたって重ね合わせたものを説明したが、必ずしもその必要はない。長い帯状シートの両端部分付近において、短い帯状シートを長い帯状シートに重ね合わせてもよい。
【００３１】
たとえば、図９の実施例では、帯状シート１１の両端部分付近において、短い帯状シート１２が長い帯状シート１１に重ね合わされ、その上側に配置されている。したがって、帯状シート１１，１２の両端部分が２層をなすよう構成されているものである。さらに、両端部分で長い帯状シート１１が折り曲げられ、これによって両端部分が開かれ、開き面１３が形成されている。したがって、開き面１３をサイドガセット部分１の表面に対向させ、ヒートシール装置または超音波シール装置を帯状シート１１，１２およびサイドガセット部分１に押し付けると、開き面１３をサイドガセット部分１の表面にヒートシールまたは超音波シールし、貼り付けることができ、これと同時に、開き面１３以外の部分において、各帯状シート１１，１２を互いにヒートシールまたは超音波シールし、貼り付けることができる。開き面１３以外の部分において、各帯状シート１１，１２をあらかじめヒートシールまたは超音波シールし、貼り付け、その後、開き面１３をサイドガセット部分１の表面にヒートシールまたは超音波シールし、貼り付けるようにしてもよい。
【００３２】
したがって、図９のプラスチック袋でも、帯状シート１１，１２によって取っ手が形成され、取っ手によってプラスチック袋をぶら下げ、持ち運ぶことができる。さらに、取っ手によってプラスチック袋をぶら下げたとき、開き面１３によってサイドガセット部分１の表面が引き上げられる。さらに、張力によって帯状シート１１，１２の両端部分が引っ張られ、サイドガセット部分１の表面が変形し、折り曲げられる。したがって、重量によって取っ手ははがれず、分離しない。
【００３３】
図１０に示すように、長い帯状シート１１をその両端部分が対向するよう湾曲させ、両端部分で短い帯状シート１２を折り曲げ、これによって両端部分を開き、開き面１３を形成するようにしてもよい。
【００３４】
図１１に示すように、帯状シート１１の両端部分付近において、短い帯状シート１２を長い帯状シート１１に重ね合わせ、その下側に配置する。そして、両端部分で短い帯状シート１２を折り曲げ、これによって両端部分を開き、開き面１３を形成するようにしてもよい。
【００３５】
帯状シートの両端部分を２層ではなく、３層、４層またはそれ以上の層をなすよう構成し、これを二股状に分岐させ、開き、その開き面をサイドガセット部分１の表面に貼り付けるようにしてもよい。
【００３６】
さらに、上記実施例では、開き面をサイドガセット部分１の表面にヒートシールまたは超音波シールし、貼り付けるようにしたものを説明したが、必ずしもその必要はない。接着剤によって開き面を貼り付けてもよい。接着剤は天然のものであってもよく、合成のものであってもよいが、ホットメルトであることが好ましい。両面テープによって開き面を貼り付けることも考えられる。
【００３７】
帯状シートの両端部分において、それぞれ２つの開き面が形成されるが、それをサイドガセット部分１の表面に貼り付けるとき、接着剤または両面テープによって一方の面を貼り付け、ヒートシールまたは超音波シールによって他方の面を貼り付けるようにしてもよい。帯状シートの内面と内面を互いに貼り付けるとき、接着剤または両面テープによってそれを貼り付けてもよい。
【００３８】
開き面をサイドガセット部分１の表面ではなく、他の表面に貼り付けるようにしてもよい。プラスチック袋に限らず、この発明を他の収容袋に適用し、開き面を袋本体の表面に貼り付けることも考えられる。
【００３９】
図１２は図１のプラスチック袋に使用することができる取っ手を示す。この取っ手は帯状シート１４からなる。さらに、図１の取っ手と同様、帯状シート１４の両端部分１５が複数層をなすよう構成されており、複数層の両端部分１５が二股状に分岐し、開かれている。その開き面１５は貼り付け可能である。したがって、開き面１５を袋本体の表面に貼り付け、これによって帯状シート１４の両端部分１５を固定することができる。この場合、重量によって取っ手が剥がれず、分離しないことは図１のプラスチック袋と同様である。
【００４０】
さらに、この実施例では、接着剤が開き面１５に施され、離型紙１７が接着剤に貼り付けられ、離型紙１７によって接着剤が被覆されている。したがって、離型紙１７を接着剤から剥がし、接着剤によって開き面１５を貼り付けることができ、容易に取っ手を形成することができる。
【００４１】
両面テープを開き面１５に貼り付け、離型紙１７を両面テープに貼り付け、離型紙１７によって両面テープを被覆してもよい。この場合、離型紙１７を両面テープから剥がし、両面テープによって開き面１５を貼り付けることができ、容易に取っ手を形成することができる。
【図面の簡単な説明】
【００４２】
【図１】この発明にかかるプラスチック袋を示す斜視図である。
【図２】図１の帯状シートとサイドガセット部分の説明図である。
【図３】図２のサイドガセット部分の表面が引き上げられ、変形する状態を示す説明図である。
【図４】図３の帯状シートの両端部分が閉じられ、サイドガセット部分の表面が挿入される状態を示す説明図である。
【図５】図２の開き面がサイドガセット部分の表面に貼り付けられる状態を示す説明図である。
【図６】他の実施例を示す斜視図である。
【図７】他の実施例を示す斜視図である。
【図８】他の実施例を示す説明図である。
【図９】他の実施例を示す説明図である。
【図１０】他の実施例を示す説明図である。
【図１１】他の実施例を示す説明図である。
【図１２】この発明にかかる取っ手を示す説明図である。
【符号の説明】
【００４３】
１  サイドガセット部分
６，１１，１２，１４  帯状シート
７，１２，１５  両端部分
８，１３，１６  開き面
１７  離型紙
【図１】
2009113839.tif 000003
【図２】
2009113839.tif 000004
【図３】
2009113839.tif 000005
【図４】
2009113839.tif 000006
【図５】
2009113839.tif 000007
【図６】
2009113839.tif 000008
【図７】
2009113839.tif 000009
【図８】
2009113839.tif 000010
【図９】
2009113839.tif 000011
【図１０】
2009113839.tif 000012
【図１１】
2009113839.tif 000013
【図１２】
2009113839.tif 000014